(57)【要約】      （修正有）【課題】ＶｏＩＰ技術を利用した通信技術に関するものであり、ネットワーク上を移動するデータ情報に連動して通信制御を行い通信品質を維持するトラフィック連動型通信制御システム及びその方法を提供する。【解決手段】音声通話や電話機の管理、通信制御を全てＩＰ上で処理する電話交換システムにおけるトラフィック連動型通信制御システムであって、ネットワークトラフィック情報を通信中のＩＰ端末より入手し蓄積及び監視する蓄積監視ブロック１３と、前記蓄積監視ブロックの蓄積監視情報に基づいて通信制御を行う通信制御ブロック１４とを有し、これにより、ネットワークトラフィック情報に応じてシステム全体の通信品質を維持制御する。【選択図】図２
2006109304.tif 000002
【特許請求の範囲】
【請求項１】
音声通話や電話機の管理、通信制御を全てＩＰ上で処理する電話交換システムにおけるトラフィック連動型通信制御システムであって、ネットワークトラフィック情報を通信中のＩＰ端末より入手し蓄積及び監視する蓄積監視ブロックと、前記蓄積監視ブロックの蓄積監視情報に基づいて通信制御を行う通信制御ブロックとを有するトラフィック連動型通信制御システム。
【請求項２】
前記蓄積監視ブロックの蓄積監視情報は、前記電話交換システムにおけるルーターより入手する前記ネットワークトラフィック情報である請求項１に記載のトラフィック連動型通信制御システム。
【請求項３】
前記蓄積監視ブロックの蓄積監視情報は、前記電話交換システムに接続されるＩＰ端末の通信中の通話数情報である請求項１に記載のトラフィック連動型通信制御システム。
【請求項４】
音声通話や電話機の管理、通信制御を全てＩＰ上で処理する電話交換システムにおけるトラフィック連動型通信制御方法であって、ネットワークトラフィック情報を通信中のＩＰ端末より入手し蓄積及び監視する蓄積監視ステップと、前記蓄積監視ステップの蓄積監視情報に基づいて通信制御を行う通信制御ステップとを有するトラフィック連動型通信制御方法。
【請求項５】
前記蓄積監視ステップは、前記電話交換システムにおけるルーターより入手する前記ネットワークトラフィック情報を蓄積及び監視するステップである請求項４に記載のトラフィック連動型通信制御方法。
【請求項６】
前記蓄積監視ステップは、前記電話交換システムに接続されるＩＰ端末の通信中の通話数情報を蓄積及び監視するステップである請求項４に記載のトラフィック連動型通信制御方法。
【発明の詳細な説明】
【技術分野】
【０００１】
本発明は、ＶｏＩＰ技術を利用した通信技術であって、ネットワーク上を移動するデータ情報に連動したトラフィック連動型通信制御システム及びその方法に関するものである。
【背景技術】
【０００２】
従来、この種の通信制御技術は、図８に示されるように通信制御を行っていた。
【０００３】
図８は従来の通信制御システムの概略構成図である。
【０００４】
図８において、ネットワーク８１は送信者８４と受信者８５との間の通信パケット８８の送受をなす伝送網であって、通信パケット８８のヘッダの一部に付加されている優先クラス情報に基づいて、優先クラス別の通信品質の提供を行うものである。
【０００５】
このネットワーク８１は、パケットを優先クラス別に優先制御で転送するルーター８２、８３で構成され、ネットワーク８１のユーザである送信者８４と受信者８５とがルーター８２、８３を介して接続され、試験パケット８６は、送信者８４が通信パケット８８を送信するに先立って受信者８５に送信し、試験結果パケット８７は、受信者８５が送信者８４に返送する通信品質試験結果である。（例えば、特許文献１参照）。
【０００６】
以上のように構成された通信制御システムについて、以下にその動作を説明する。
【０００７】
図９は従来の通信制御システムの動作を示すフローチャートである。
【０００８】
送信者８４は、通信を開始する際（ステップ１０１）、通信パケット８８を送信するに先立って、ネットワーク８１の通信品質を確認し通信パケット８８の優先クラスを決定するために試験パケット８６を送信する（ステップ１０３）。
【０００９】
試験パケット８６には優先クラスとして本通信制御システムでの最下位の優先度が付与されているものとする（ステップ１０２）。
【００１０】
また、本通信制御システムの場合、通信アプリケーションの要求通信品質として通信（伝送）遅延が重要であるものと仮定し、この通信遅延を計測するために試験パケット８６は送信された時刻情報を持つものとする。
【００１１】
試験パケット８６はネットワーク８１に転送され、ルーター８２、８３と転送される時に付与された優先クラスとしてサービスを受け、受信者８５に転送される（ステップ１０３）。
【００１２】
受信者８５は送信者８４と同期した時計を持ち、試験パケット８６に示された送信時刻と試験パケット８６の受信時刻とから通信遅延を計算し、その結果を試験結果パケット８７に入れ送信者８４に返送する。
【００１３】
送信者８４はこの試験結果パケット８７を受信し（ステップ１０４）、試験結果パケット８７に示された優先クラスのパケットの通信品質試験結果を見て、通信品質が通信アプリケーションの要求品質を満たすかどうかを確認する（ステップ１０５）。
【００１４】
通信アプリケーションの要求品質の基準値は、送信者８４が自由に設定することができ、
試験した優先クラスの通信品質が通信アプリケーションの要求品質を満足しない場合（ステップ１０６）、優先クラスを順次１クラスずつ上げて（ステップ１０７）試験パケット８６を送信し（ステップ１０３）、通信品質の試験を繰り返す（ステップ１０４，１０５）。
【００１５】
このとき、通信品質が要求品質を満たすか（ステップ１０５）、または最上位優先クラスになるまで通信品質の試験を繰り返す（ステップ１０６，１０７）。
【００１６】
試験結果パケット８７を受信して（ステップ１０４）、試験パケット８６の通信品質が通信アプリケーションの要求通信品質を満たしていた場合（ステップ１０５）、その優先クラスで（ステップ１０８）通信パケット８８の送信を開始する（ステップ１０９）。
【００１７】
なお、ステップ１０６において、優先クラスが最上位になっても、要求通信品質を満足しない場合には通信中止（ステップ１１０）か、最上位の優先クラスで（ステップ１０８）以後通信パケットを送信していた（ステップ１０９）。
【特許文献１】特開２００２−１２４９８４号公報
【発明の開示】
【発明が解決しようとする課題】
【００１８】
しかしながら、上記従来の通信制御システムでは、送信者と受信者間の最適通信品質を維持するためであるので、システム全体のトラフィック情報を監視し通信制御を行っていないため、システム全体として通信品質を維持することができないという問題点を有していた。
【００１９】
本発明は上記問題点を解決するものであり、システム全体のトラフィック情報を監視して通信制御を行い通信品質を維持するトラフィック連動型通信制御システム及びその方法を提供することを目的とするものである。
【課題を解決するための手段】
【００２０】
本発明は上記目的を達成するために、音声通話や電話機の管理、通信制御を全てＩＰ上で処理する電話交換システムにおけるトラフィック連動型通信制御システムであって、ネットワークトラフィック情報を監視してネットワークトラフィック情報に応じた通信制御を行う構成を備えている。
【００２１】
この構成により、ネットワークトラフィック情報に応じてシステム全体の通信品質を維持制御し、仮にネットワーク構成が変わってもネットワークトラフィック情報と連動した通信制御であるため、ネットワーク構成に依存しないで通信品質を維持できるという作用を達成することができる。
【発明の効果】
【００２２】
本発明によれば、音声通話や電話機の管理、通信制御を全てＩＰ上で処理する電話交換システムにおけるトラフィック連動型通信制御システムであって、ネットワークトラフィック情報を通信中のＩＰ端末より入手し蓄積及び監視する蓄積監視ブロックと、その蓄積監視ブロックの蓄積監視情報に基づいて通信制御を行う通信制御ブロックとを設けた構成にしたことにより、システム全体の通信品質を維持制御し、仮にネットワーク構成が変わってもネットワークトラフィック情報と連動した通信制御であるため、ネットワーク構成に依存しないで通信品質を維持できるという効果が得られる。
【発明を実施するための最良の形態】
【００２３】
本発明のトラフィック連動型通信制御システムは、音声通話や電話機の管理、通信制御を全てＩＰ上で処理する電話交換システムにおけるトラフィック連動型通信制御システムであって、ネットワークトラフィック情報を通信中のＩＰ端末より入手し蓄積及び監視する蓄積監視ブロックと、この蓄積監視ブロックの蓄積監視情報に基づいて通信制御を行う通信制御ブロックとを設けた構成を有する。
【００２４】
これにより、ネットワークトラフィック情報に応じてシステム全体の通信品質を維持制御し、仮にネットワーク構成が変わってもネットワークトラフィック情報と連動した通信制御システムであるため、ネットワーク構成に依存しないで通信品質を維持できるという効果が得られる。
【００２５】
また、ネットワークトラフィック情報は、電話交換システムにおけるルーターが持つ、通信中のＩＰ端末のネットワークトラフィック情報を入手し蓄積監視する構成にしてもよい。
【００２６】
これにより、通信中のＩＰ端末に負荷をかけることなくネットワークトラフィック情報が入手でき、ネットワークトラフィック情報に応じてシステム全体の通信品質を維持制御し、仮にネットワーク構成が変わってもネットワークトラフィック情報と連動した通信制御システムであるため、ネットワーク構成に依存しないで通信品質を維持できるという効果が得られる。
【００２７】
また、ネットワークトラフィック情報は、電話交換システムに接続されるＩＰ端末の通信中の通話数情報を入手し蓄積監視する構成にしてもよい。
【００２８】
これにより、通信中のＩＰ端末のパケットロスや遅延揺らぎ等の音声品質は不明であっても、ＩＰ端末の通信中の通話数情報によりネットワークの混雑具合は監視することができこのネットワークの混雑具合から通信品質は判断できるので、ネットワークトラフィック情報に応じてシステム全体の通信品質が維持制御でき、仮にネットワーク構成が変わってもネットワークトラフィック情報と連動した通信制御方法であるため、ネットワーク構成に依存しないで通信品質を維持できるという効果が得られる。
【００２９】
本発明のトラフィック連動型通信制御方法は、音声通話や電話機の管理、通信制御を全てＩＰ上で処理する電話交換システムにおけるトラフィック連動型通信制御方法であって、ネットワークトラフィック情報を通信中のＩＰ端末より入手し蓄積及び監視する蓄積監視ステップと、この蓄積監視ブロックの蓄積監視情報に基づいて通信制御を行う通信制御ステップとを設けた構成を有する。
【００３０】
これにより、ネットワークトラフィック情報に応じてシステム全体の通信品質を維持制御し、仮にネットワーク構成が変わってもネットワークトラフィック情報と連動した通信制御方法であるため、ネットワーク構成に依存しないで通信品質を維持できるという効果が得られる。
【００３１】
また、ネットワークトラフィック情報は、電話交換システムにおけるルーターが持つ、通信中のＩＰ端末のネットワークトラフィック情報を入手し蓄積監視するステップの構成にしてもよい。
【００３２】
これにより、通信中のＩＰ端末に負荷をかけることなくネットワークトラフィック情報が入手でき、ネットワークトラフィック情報に応じてシステム全体の通信品質を維持制御し、仮にネットワーク構成が変わってもネットワークトラフィック情報と連動した通信制御方法であるため、ネットワーク構成に依存しないで通信品質を維持できるという効果が得られる。
【００３３】
また、ネットワークトラフィック情報は、電話交換システムに接続されるＩＰ端末の通信中の通話数情報を入手し蓄積監視するステップの構成にしてもよい。
【００３４】
これにより、通信中のＩＰ端末のパケットロスや遅延揺らぎ等の音声品質は不明であっても、ＩＰ端末の通信中の通話数情報によりネットワークの混雑具合は監視することができこのネットワークの混雑具合から通信品質は判断できるので、ネットワークトラフィック情報に応じてシステム全体の通信品質が維持制御でき、仮にネットワーク構成が変わってもネットワークトラフィック情報と連動した通信制御方法であるため、ネットワーク構成に依存しないで通信品質を維持できるという効果が得られる。
【００３５】
（実施の形態１）
以下、本発明の実施の形態１におけるトラフィック連動型通信制御システム及びその方法について、図面を参照しながら説明する。
【００３６】
図１は本発明の実施の形態1におけるトラフィック連動型通信制御システムの概略構成図、図２は本発明のＩＰ−ＰＢＸの構成を示すブロック図である。
【００３７】
図１において、本発明のトラフィック連動型通信制御システムは、ＩＰ−ＰＢＸ２と、このＩＰ−ＰＢＸ２にＩＰネットワーク１を介して繋がっているＩＰ電話等を含む複数のＩＰ端末３、４、５、６と、このＩＰ端末５，６をルーティングするルーター７と、ＰＳＴＮやＩＳＤＮやｘＤＳＬ等を含む公衆回線網８とにより構成される。
【００３８】
図２において、本発明のトラフィック連動型通信制御システムにおける前記ＩＰ−ＰＢＸ２は、前記ＩＰネットワーク１と接続するための端末インターフェースブロック１０と、音声通信を希望する前記ＩＰ端末３，４，５，６から前記ＩＰネットワーク１、前記端末インターフェースブロック１０を介して呼制御情報(オンフック、オフフック、相手電話番号、保留、転送等の情報)を受信して呼制御処理等を行う主制御ブロック１１と、呼制御プログラム等を格納しているメモリーブロック１２と、前記主制御ブロック１１が前記ＩＰ端末３，４，５，６に指示して前記ＩＰネットワーク１、前記端末インターフェースブロック１０を介して受信するネットワークトラフィック情報を蓄積及び監視する蓄積監視ブロック１３と、この蓄積監視ブロック１３の情報から前記ＩＰ端末３，４，５，６の通信制御を決定する通信制御ブロック１４と、ＰＳＴＮやＩＳＤＮやｘＤＳＬ等を含む公衆回線網８と、この公衆回線網８に接続を行う回線インターフェースブロック９とで構成される。
【００３９】
以上のように構成されたトラフィック連動型通信制御システムの動作、すなわちトラフィック連動型通信制御方法について説明する。
【００４０】
図３は、実施の形態１におけるトラフィック連動型通信制御方法の動作を示すフローチャートである。
【００４１】
例えばＩＰ−ＰＢＸ２が音声通信を希望する送信側ＩＰ端末３からＩＰネットワーク１、端末インターフェースブロック１０を介して呼制御情報(オンフック、オフフック、相手電話番号、保留、転送等の情報)を受信すると（ステップ３１）、ＩＰ−ＰＢＸ２はこの呼制御情報に含まれる相手電話番号の受信側ＩＰ端末５に対してＩＰネットワーク１、端末インターフェースブロック１０を介して接続を指示する（ステップ３２）。
【００４２】
接続指示を受信した受信側ＩＰ端末５は、その接続指示の示す内容に従い、送信側ＩＰ端末３との接続処理を行い接続し、送信側ＩＰ端末３と受信側ＩＰ端末５との間で相互に音声データを送受信して通信を開始する（ステップ３３）。
【００４３】
ＩＰ−ＰＢＸ２は、通信中のＩＰ端末３、５からパケットロスや遅延揺らぎ量や接続経路情報等のネットワークトラフィック情報を入手する（ステップ３４）。
【００４４】
入手したネットワークトラフィック情報は、蓄積監視ブロック１３に蓄積され、そのネットワークトラフィック情報により常にＩＰネットワーク１全体を監視する（ステップ３５）。
【００４５】
そして、ＩＰネットワーク１全体の蓄積監視情報から通話品質がＩＴＵ−Ｔ勧告の評価方法（客観評価のＧ．１０７、Ｐ．８６１．Ｐ．８６２のいずれでもよい）の品質レベルに満足するかを判定し（ステップ３６）、品質レベルを満足するものであれば通信中の通信を継続し（ステップ３８）、品質レベルを満足するものでなければ通信品質を制御するパラメータ（圧縮率、揺らぎバッファ量、パケット化周期、無音圧縮等）を設定変更し（ステップ３７）、ＩＰ−ＰＢＸ２が通信制御のシグナリングを通信中のＩＰ端末３、５に行って通信を継続する（ステップ３８）。
【００４６】
また、通信前のＩＰ端末に対しては、通信中のＩＰ端末より入手したネットワークトラフィック情報を蓄積監視しているので（ステップ３５）、その蓄積監視情報から通信制御パラメータを予め設定し（ステップ３９）、上記通信接続の処理を行い通信を開始する（ステップ４０）。
【００４７】
ここで、前記ステップにおいて通信中のＩＰ端末からネットワークトラフィック情報を入手するステップ３４と、前記ネットワークトラフィック情報を蓄積監視するステップ３５とが本実施の形態１における蓄積監視ステップで、通信品質は満足かを判定するステップ３６と、通信制御パラメータを設定変更するステップ３７と、通信開始前のＩＰ端末の通信制御パラメータを予め設定するステップ３９とが通信制御ステップである。
【００４８】
以上のように本実施の形態１によれば、音声通話や電話機の管理、通信制御を全てＩＰ上で処理する電話交換システムにおけるトラフィック連動型通信制御システムであって、ネットワークトラフィック情報を通信中のＩＰ端末より入手し、蓄積及び監視する蓄積監視ブロック１３と、この蓄積監視ブロック１３の蓄積監視情報に基づいて通信制御を行う通信制御ブロック１４とを有することにより、ネットワークトラフィック情報に応じてシステム全体の通信品質を維持制御し、仮にネットワーク構成が変わってもネットワークトラフィック情報と連動した通信制御であるため、ネットワーク構成に依存しないで通信品質を維持できる。
【００４９】
また上述の通り、トラフィック連動型通信制御システムとしてハードウェア的に実現できることは勿論のこと、「ステップ」として把握しトラフィック連動型通信制御方法としてソフトウェア的に実現することもできることは明らかである。
【００５０】
（実施の形態２）
以下、本発明の実施の形態２におけるトラフィック連動型通信制御システム及びその方法について、図面を参照しながら説明する。
【００５１】
図４は本発明の実施の形態２におけるトラフィック連動型通信制御システムの概略構成図である。
【００５２】
図４において、本発明のトラフィック連動型通信制御システムは、ＩＰ−ＰＢＸ２と、このＩＰ−ＰＢＸ２にＩＰネットワーク１を介して繋がっているＩＰ電話等を含む複数のＩＰ端末３、４、５、６と、このＩＰ端末５、６をルーティングするルーター７と、ＰＳＴＮやＩＳＤＮやｘＤＳＬ等を含む公衆回線網８とにより構成される。
【００５３】
また本発明のトラフィック連動型通信制御システムにおける前記ＩＰ−ＰＢＸ２は、実施の形態１と同様に図２の本発明のＩＰ−ＰＢＸの構成を示すブロック図で示されるため、その説明は省略する。
【００５４】
以上のように構成されたトラフィック連動型通信制御システムの動作、すなわちトラフィック連動型通信制御方法について説明する。
【００５５】
図５は、実施の形態２におけるトラフィック連動型通信制御方法の動作を示すフローチャートである。
【００５６】
例えばＩＰ−ＰＢＸ２が音声通信を希望する送信側ＩＰ端末３からＩＰネットワーク１、端末インターフェースブロック１０を介して呼制御情報(オンフック、オフフック、相手電話番号、保留、転送等の情報)を受信すると（ステップ５１）、ＩＰ−ＰＢＸ２はこの呼制御情報に含まれる相手電話番号の受信側ＩＰ端末５に対してＩＰネットワーク１、端末インターフェースブロック１０を介して接続を指示する（ステップ５２）。
【００５７】
接続指示を受信した受信側ＩＰ端末５は、その接続指示の示す内容に従い、送信側ＩＰ端末３との接続処理を行い接続し、送信側ＩＰ端末３と受信側ＩＰ端末５との間で相互に音声データを送受信して通信を開始する（ステップ５３）。
【００５８】
ＩＰ−ＰＢＸ２は、通信中のＩＰ端末３、５の通信経路上にあるルーター７からパケットロスや遅延揺らぎ量や接続経路情報等のネットワークトラフィック情報を入手する（ステップ５４）。
【００５９】
入手したネットワークトラフィック情報は、蓄積監視ブロック１３に蓄積され、そのネットワークトラフィック情報で常にＩＰネットワーク１全体を監視する（ステップ５５）。
【００６０】
そして、ＩＰネットワーク１全体の蓄積監視情報から通話品質がＩＴＵ−Ｔ勧告の評価方法（客観評価のＧ．１０７、Ｐ．８６１．Ｐ．８６２のいずれでもよい）の品質レベルに満足するかを判定し（ステップ５６）、品質レベルを満足するものであれば通信中の通信を継続し（ステップ５８）、品質レベルを満足するものでなければ通話品質を制御するパラメータ（圧縮率、揺らぎバッファ量、パケット化周期、無音圧縮等）を設定変更し（ステップ５７）、ＩＰ−ＰＢＸ２が通信制御のシグナリングを通信中のＩＰ端末３、５に行って通信を継続する（ステップ５８）。
【００６１】
また、通信前のＩＰ端末に対しては、通信中のＩＰ端末の通信経路上にあるルーター７より入手（ステップ５４）したネットワークトラフィック情報を蓄積監視しているので（ステップ５５）、その蓄積監視情報から通信制御パラメータを予め設定し（ステップ５９）、上記通信接続の処理を行い通信を開始する（ステップ６０）。
【００６２】
ここで、前記ステップにおいて通信中のＩＰ端末の通信経路上にあるルーターからネットワークトラフィック情報を入手するステップ５４と、前記ネットワークトラフィック情報を蓄積監視するステップ５５とが本実施の形態２における蓄積監視ステップで、通信品質は満足かを判定するステップ５６と、通信制御パラメータを設定変更するステップ５７と、通信開始前のＩＰ端末の通信制御パラメータを予め設定するステップ５９とが通信制御ステップである。
【００６３】
以上のように本実施の形態２によれば、音声通話や電話機の管理、通信制御を全てＩＰ上で処理する電話交換システムにおけるトラフィック連動型通信制御システムであって、ネットワークトラフィック情報を通信中のＩＰ端末の通信経路上にあるルーターより入手し蓄積及び監視する蓄積監視ブロック１３と、この蓄積監視ブロック１３の蓄積監視情報に基づいて通信制御を行う通信制御ブロック１４とを有することにより、通信中のＩＰ端末に負荷をかけることなくネットワークトラフィック情報を入手し、このネットワークトラフィック情報に応じてシステム全体の通信品質を維持制御でき、仮にネットワーク構成が変わってもトラフィック情報と連動した通信制御であるため、ネットワーク構成に依存しないで通信品質を維持できる。
【００６４】
また上述の通り、トラフィック連動型通信制御システムとしてハードウェア的に実現できることは勿論のこと、「ステップ」として把握しトラフィック連動型通信制御方法としてソフトウェア的に実現することもできることは明らかである。
【００６５】
（実施の形態３）
以下、本発明の実施の形態３におけるトラフィック連動型通信制御システム及びその方法について、図面を参照しながら説明する。
【００６６】
図６は本発明の実施の形態３におけるトラフィック連動型通信制御システムの概略構成図である。
【００６７】
図６において、本発明のトラフィック連動型通信制御システムは、ＩＰ−ＰＢＸ２と、このＩＰ−ＰＢＸ２にＩＰネットワーク１を介して繋がっているＩＰ電話等を含む複数のＩＰ端末３、４、５、６と、このＩＰ端末５、６をルーティングするルーター７と、ＰＳＴＮやＩＳＤＮやｘＤＳＬ等を含む公衆回線網８とにより構成される。
【００６８】
また本発明のトラフィック連動型通信制御システムにおける前記ＩＰ−ＰＢＸ２は、実施の形態１と同様に図２の本発明のＩＰ−ＰＢＸの構成を示すブロック図で示されるため、その説明は省略する。
【００６９】
以上のように構成されたトラフィック連動型通信制御システムの動作、すなわちトラフィック連動型通信制御方法について説明する。
【００７０】
図７は、実施の形態３におけるトラフィック連動型通信制御方法の動作を示すフローチャートである。
【００７１】
例えばＩＰ−ＰＢＸ２が音声通信を希望する送信側ＩＰ端末３からＩＰネットワーク１、端末インターフェースブロック１０を介して呼制御情報(オンフック、オフフック、相手電話番号、保留、転送等の情報)を受信すると（ステップ７１）、ＩＰ−ＰＢＸ２はこの呼制御情報に含まれる相手電話番号の受信側ＩＰ端末５に対してＩＰネットワーク１、端末インターフェースブロック１０を介して接続を指示する（ステップ７２）。
【００７２】
接続指示を受信した受信側ＩＰ端末５は、その接続指示の示す内容に従い、送信側ＩＰ端末３との接続処理を行い接続し、送信側ＩＰ端末３と受信側ＩＰ端末５との間で相互に音声データを送受信して通信を開始する（ステップ７３）。
【００７３】
同様に、ＩＰ−ＰＢＸ２が音声通信を希望する送信側ＩＰ端末４からＩＰネットワーク１、端末インターフェースブロック１０を介して呼制御情報(オンフック、オフフック、相手電話番号、保留、転送等の情報)を受信すると（ステップ７１）、ＩＰ−ＰＢＸ２はこの呼制御情報に含まれる相手電話番号の受信側ＩＰ端末６に対してＩＰネットワーク１、端末インターフェースブロック１０を介して接続を指示する（ステップ７２）。
【００７４】
接続指示を受信した受信側ＩＰ端末６は、その接続指示の示す内容に従い、送信側ＩＰ端末４との接続処理を行い接続し、送信側ＩＰ端末４と受信側ＩＰ端末６との間で相互に音声データを送受信して通信を開始する（ステップ７３）。
【００７５】
ここで、ＩＰ−ＰＢＸ２はＩＰ端末の通信中の通話数情報を蓄積監視ブロック１３に蓄積し、その情報で常にＩＰネットワーク１全体を監視する（ステップ７４）。
【００７６】
そして、通話品質を制御するパラメータ（圧縮率、揺らぎバッファ量、パケット化周期、無音圧縮等）を設定変更し（ステップ７５）、ＩＰ−ＰＢＸ２が通信制御のシグナリングを通信中のＩＰ端末に行って通信を継続する（ステップ７６）。
【００７７】
また、通信前のＩＰ端末に対しては、ＩＰ端末の通信中の通話数情報を蓄積監視しているので（ステップ７４）、その蓄積監視情報から通信制御パラメータを予め設定し（ステップ７７）、上記通信接続の処理を行い通信を開始する（ステップ７８）。
【００７８】
ここで、前記ステップにおいてＩＰ端末の通信中の通話数情報を蓄積監視するステップ７４が本実施の形態３における蓄積監視ステップで、通信制御パラメータを設定変更するステップ７５と、通信開始前のＩＰ端末の通信制御パラメータを予め設定するステップ７７とが通信制御ステップである。
【００７９】
以上のように本実施の形態３によれば、音声通話や電話機の管理、通信制御を全てＩＰ上で処理する電話交換システムにおけるトラフィック連動型通信制御システムであって、ＩＰ端末の通信中の通話数情報を蓄積及び監視する蓄積監視ブロック１３と、この蓄積監視ブロック１３の蓄積監視情報に基づいて通信制御を行う通信制御ブロック１４とを有することにより、通信中のＩＰ端末のパケットロスや遅延揺らぎ等の音声品質は不明であっても、ＩＰ端末の通信中の通話数情報によりネットワークの混雑具合は監視することができ、そのネットワークの混雑具合から通信品質は判断できるのでシステム全体の通信品質が維持制御でき、仮にネットワーク構成が変わってもトラフィック情報と連動した通信制御であるため、ネットワーク構成に依存しないで通信品質を維持できる。
【００８０】
また上述の通り、トラフィック連動型通信制御システムとしてハードウェア的に実現できることは勿論のこと、「ステップ」として把握しトラフィック連動型通信制御方法としてソフトウェア的に実現することもできることは明らかである。
【産業上の利用可能性】
【００８１】
以上のように本発明のトラフィック連動型通信制御は、ＶｏＩＰ技術を利用した通信技術において通信品質を維持制御することができ、ネットワーク構成に依存しないという効果を有し、様々なネットワーク構成における通信制御として有用である。
【図面の簡単な説明】
【００８２】
【図１】本発明の実施の形態1のトラフィック連動型通信制御システムの概略構成図
【図２】本発明のＩＰ−ＰＢＸの構成を示すブロック図
【図３】本発明の実施の形態１のトラフィック連動型通信制御方法の動作を示すフローチャート
【図４】本発明の実施の形態２のトラフィック連動型通信制御システムの概略構成図
【図５】本発明の実施の形態２のトラフィック連動型通信制御方法の動作を示すフローチャート
【図６】本発明の実施の形態３のトラフィック連動型通信制御システムの概略構成図
【図７】本発明の実施の形態３のトラフィック連動型通信制御方法の動作を示すフローチャート
【図８】従来の通信制御システムの概略構成図
【図９】従来の通信制御システムの動作を示すフローチャート
【符号の説明】
【００８３】
１    ＩＰネットワーク
２    ＩＰ−ＰＢＸ
３、４、５、６    ＩＰ端末
７    ルーター
８    公衆回線網
９    回線インターフェースブロック
１０    ＬＡＮインターフェースブロック
１１    主制御ブロック
１２    メモリーブロック
１３    蓄積監視ブロック
１４    通信制御ブロック
８１    ネットワーク
８２、８３    ルーター
８４    送信者
８５    受信者
８６    試験パケット
８７    試験結果パケット
８８    通信パケット
【図１】
2006109304.tif 000003
【図２】
2006109304.tif 000004
【図３】
2006109304.tif 000005
【図４】
2006109304.tif 000006
【図５】
2006109304.tif 000007
【図６】
2006109304.tif 000008
【図７】
2006109304.tif 000009
【図８】
2006109304.tif 000010
【図９】
2006109304.tif 000011